(57)【要約】【課題】ＡＣＫ／ＮＡＣＫ及びＣＱＩの両方を含むリソースブロックのためのＡＣＫ／ＮＡＣＫチャンネル化を提供する。【解決手段】１つの規範的実施形態において、方法は、アクセスノードから装置に向かって値を送信するステップであって、前記値は、アップリンクリソースブロックの第１部分のサイズを表し、アップリンクリソースブロックは、複数の装置間に共有され、第１部分は、第１形式のシグナリングをアクセスノードへ送信するために指定され、アップリンクリソースブロックの第２部分が、第２形式のシグナリングをアクセスノードへ送信するために指定されるようなステップと、第１部分及び第２部分の少なくとも１つを使用して少なくとも１つの送信を受信するステップと、を備えている。【選択図】図４
2011511591.tif 000002
【特許請求の範囲】
【請求項１】
アクセスノードから装置に向かって値を送信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップと、
前記第１部分及び第２部分の少なくとも１つを使用して少なくとも１つの送信を受信するステップと、
を備えた方法。
【請求項２】
前記第１形式のシグナリングは、確認（ＡＣＫ／ＮＡＣＫ）シグナリングを含み、前記第２形式のシグナリングは、チャンネルクオリティインジケータ（ＣＱＩ）シグナリングを含む、請求項１に記載の方法。
【請求項３】
前記アップリンクリソースブロックは、更に、前記第１部分と第２部分との間のガードバンドとして働く第３部分を含む、請求項１又は２に記載の方法。
【請求項４】
前記第１部分のサイズは、前記第１形式のシグナリングに対して割り当てられたアップリンクリソースブロックにおけるリソースの数を表す、請求項１から３のいずれかに記載の方法。
【請求項５】
前記値は、第１の値であり、前記方法は、更に、その第１の値を使用して、前記アップリンクリソースブロックの第２部分のサイズを表す第２の値を決定するステップを含む、請求項１から４のいずれかに記載の方法。
【請求項６】
前記少なくとも１つの送信は、物理的アップリンクコントロールチャンネルを経て受信される、請求項１から５のいずれかに記載の方法。
【請求項７】
同じ直交カバーシーケンスを使用する２つの隣接リソース間のサイクリックシフトは、
2011511591.tif 000021
であり、前記第１部分のサイズは、
2011511591.tif 000022
の整数倍である、請求項１から６のいずれかに記載の方法。
【請求項８】
前記第１部分及び第２部分に対して個別のサイクリックシフト／直交カバーランダム化再マッピングを遂行するステップを更に含む、請求項１から７のいずれかに記載の方法。
【請求項９】
受信された少なくとも１つの送信から、前記第１部分のサイズ及びゼロ以上の他のパラメータに基づいて前記第１形式のシグナリング及び第２形式のシグナリングを導出するステップを更に備えた、請求項１から８に記載の方法。
【請求項１０】
前記アクセスノードは、エボルブドノードＢを含み、前記装置は、ユーザ装置を含み、これらエボルブドノードＢ及びユーザ装置は、エボルブドユニバーサル地上無線アクセスネットワーク内にエンティティを含む、請求項１から９のいずれかに記載の方法。
【請求項１１】
前記方法は、コンピュータ読み取り可能な媒体に記憶されたコンピュータプログラムとして実施される、請求項１から１０のいずれかに記載の方法。
【請求項１２】
値を別の装置に向けて送信するように構成された送信器であって、前記値は、アップリンクリソースブロックの第１部分のサイズを表すものであり、前記アップリンクリソースブロックは、複数の他の装置間に共有され、前記第１部分は、第１形式のシグナリングを装置へ送信するために指定され、更に、アップリンクリソースブロックの第２部分が、第２形式のシグナリングを装置へ送信するために指定されるような送信器と、
前記第１部分及び第２部分の少なくとも１つを使用して少なくとも１つの送信を受信するよう構成された受信器と、
を備えた装置。
【請求項１３】
前記第１形式のシグナリングは、確認（ＡＣＫ／ＮＡＣＫ）シグナリングを含み、前記第２形式のシグナリングは、チャンネルクオリティインジケータ（ＣＱＩ）シグナリングを含む、請求項１２に記載の装置。
【請求項１４】
前記装置は、エボルブドユニバーサル地上無線アクセスネットワーク内にエボルブドノードＢを含む、請求項１２又は１３に記載の装置。
【請求項１５】
アクセスノードから値を受信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップと、
前記第１部分及び第２部分の少なくとも１つを使用して少なくとも１つの送信を送出するステップと、
を備えた方法。
【請求項１６】
前記第１形式のシグナリングは、確認（ＡＣＫ／ＮＡＣＫ）シグナリングを含み、前記第２形式のシグナリングは、チャンネルクオリティインジケータ（ＣＱＩ）シグナリングを含む、請求項１５に記載の方法。
【請求項１７】
前記方法は、コンピュータ読み取り可能な媒体に記憶されたコンピュータプログラムとして実施される、請求項１５又は１６に記載の方法。
【請求項１８】
アクセスノードから値を受信するように構成された受信器であって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような受信器と、
前記第１部分及び第２部分の少なくとも１つを使用して少なくとも１つの送信を送出するように構成された送信器と、
を備えた装置。
【請求項１９】
前記第１形式のシグナリングは、確認（ＡＣＫ／ＮＡＣＫ）シグナリングを含み、前記第２形式のシグナリングは、チャンネルクオリティインジケータ（ＣＱＩ）シグナリングを含む、請求項１８に記載の装置。
【請求項２０】
前記装置は、エボルブドユニバーサル地上無線アクセスネットワーク内にユーザ装置を含む、請求項１８又は１９に記載の装置。
【発明の詳細な説明】
【技術分野】
【０００１】
本発明は、一般的に、ワイヤレス通信システム、方法、装置及びコンピュータプログラムに係り、より詳細には、移動装置とネットワークノードとの間のシグナリング技術に係るが、これに限定されない。
【背景技術】
【０００２】
明細書及び添付図面において使用する略語を次のように定義する。
３ＧＰＰ：第３世代パートナーシッププロジェクト
ＡＣＫ：確認
ａＧＷ：アクセスゲートウェイ
ＢＳ：ベースステーション
ＢＷ：帯域巾
Ｃ−Ｐｌａｎｅ：コントロールプレーン
ＣＱＩ：チャンネルクオリティインジケータ
ＣＳ：サイクリックシフト
ＤＬ：ダウンリンク（ＵＥに向かうｅＮＢ）
ｅＮＢ：Ｅ−ＵＴＲＡＮノードＢ（エボルブドノードＢ）
ＥＰＣ：エボルブドパケットコア
Ｅ−ＵＴＲＡＮ：エボルブドＵＴＲＡＮ（ＬＴＥ）
ＦＤＭＡ：周波数分割多重アクセス
ＬＴＥ：ＵＴＲＡＮの長期間エボルーション（Ｅ−ＵＴＲＡＮ）
ＬＴＥ−Ａ：ＬＴＥ−アドバンスト
ＭＡＣ：メディアアクセスコントロール（レイヤ２、Ｌ２）
ＭＭ／ＭＭＥ：移動マネージメント／移動マネージメントエンティティ
ＮＡＣＫ：否定確認
Ｎｏｄｅ  Ｂ：ベースステーション
ＯＣ：直交カバー
ＯＦＤＭＡ：直交周波数分割多重アクセス
Ｏ＆Ｍ：オペレーション及びメンテナンス
ＰＤＣＰ：パケットデータ収斂プロトコル
ＰＨＹ：物理的（レイヤ１、Ｌ１）
ＰＲＢ：物理的リソースブロック（１８０ｋＨｚ）
ＰＵＣＣＨ：物理的アップリンクコントロールチャンネル
ＰＵＳＣＨ：物理的アップリンク共有チャンネル
ＲＢ：リソースブロック
ＲＬＣ：無線リンクコントロール
ＲＲＣ：無線リソースコントロール
ＲＲＭ：無線リソースマネージメント
ＲＳ：基準信号
Ｓ−ＧＷ：サービングゲートウェイ
ＳＣ−ＦＤＭＡ：単一キャリア周波数分割多重アクセス
ＳＮＲ：信号対雑音比
ＳＲ：スケジューリング要求
ＵＥ：移動ステーション又は移動ターミナルのようなユーザ装置
Ｕ−Ｐｌａｎｅ：ユーザ平面
ＵＬ：アップリンク（ｅＮＢに向かうＵＥ）
ＵＴＲＡＮ：ユニバーサル地上無線アクセスネットワーク
【０００３】
エボルブドＵＴＲＡＮ（Ｅ−ＵＴＲＡＮ、これは、ＵＴＲＡＮ−ＬＴＥ又はＥ−ＵＴＲＡとも称される）は、３ＧＰＰ内で現在開発中である。ここに述べるように、ＤＬアクセス技術は、ＯＦＤＭＡであり、ＵＬアクセス技術は、ＳＣ−ＦＤＭＡである。
【０００４】
１つの当該仕様は、３ＧＰＰ  ＴＳ  ３６．３００、Ｖ８．２．０（２００７−０９）“3rd Generation Partnership Project; Technical Specification Group Radio Access Network; Evolved Universal Terrestrial Radio Access (E-UTRA) and Evolved Universal Terrestrial Access Network (E-UTRAN); Overall description; Stage 2 (Release 8)”であり、これは、参考としてここにそのまま援用される。
【０００５】
図１は、３ＧＰＰ  ＴＳ  ３６．３００、Ｖ８．２．０の図４を再現したもので、Ｅ−ＵＴＲＡＮシステム２の全体的アーキテクチャーを示している。Ｅ−ＵＴＲＡＮシステム２は、ＵＥ（図示せず）に向かうＥ−ＵＴＲＡＮユーザ平面（ＰＤＣＰ／ＲＬＣ／ＭＡＣ／ＰＨＹ）及びコントロール平面（ＲＲＣ）プロトコルターミネーションを与えるｅＮＢ３を備えている。ｅＮＢ３は、Ｘ２インターフェイスにより互いに相互接続される。又、ｅＮＢ３は、Ｓ１インターフェイスによりＥＰＣへ接続され、より詳細には、Ｓ１  ＭＭＥインターフェイスによりＭＭＥへ、そしてＳ１Ｕインターフェイス（ＭＭＥ／Ｓ−ＧＷ４）によりＳ−ＧＷへ接続される。Ｓ１インターフェイスは、ＭＭＥ／Ｓ−ＧＷとｅＮＢとの間の多数・対・多数の関係をサポートする。
【０００６】
ｅＮＢは、次の機能をホストする。
・ＲＲＭの機能：ＲＲＣ、無線容認コントロール、接続移動コントロール、ＵＬ及びＤＬの両方におけるＵＥへのリソースの動的な割り当て（スケジューリング）；
・ユーザデータストリームのＩＰヘッダ圧縮及び暗号化；
・ＵＥアタッチメントにおけるＭＭＥの選択；
・ＥＰＣ（ＭＭＥ／Ｓ−ＧＷ）に向かうユーザ平面データのルーティング；
・ページングメッセージ（ＭＭＥから発信された）のスケジューリング及び送信；
・ブロードキャスト情報（ＭＭＥ又はＯ＆Ｍから発信された）のスケジューリング及び送信；
・移動及びスケジューリングに対する測定及び測定報告構成。
【０００７】
以下の説明に特に関連した２つの文書は、３ＧＰＰ  ＴＳＧ  ＲＡＮ  ＷＧ１  Ｍｅｅｔｉｎｇ  ＃５１ｂｉｓ、Ｒ１−０８００３５、スペイン、セビリア、２００８年１月１４日、Ｂ１８、Agenda item: 6.1.4、Source: Samsung, Nokia, Nokia Siemens Networks, Panasonic, TI, Title: Joint proposal on uplink ACK/NACK channelization（参考としてここに援用され、以下、Ｒ１−０８００３５と称される）；及びＴＳＧ−ＲＡＮ  ＷＧ１  ＃５１ｂｉｓ、Ｒ１−０８０６２１、スペイン、セビリア、２００８年１月１４日、Ｂ１８、Source: Ericsson, Title: Physical-layer parameter to be configured by RRC（参考としてここに援用され、以下、Ｒ１−０８０６２１と称される）である。
【０００８】
暗黙のマッピングのために、ＰＵＣＣＨにおけるＡＣＫ／ＮＡＣＫチャンネルは、上位レイヤシグナリングにより事前に構成する必要がある（Ｒ１−０８０６２１の「ＰＵＣＣＨ構造」の章を参照されたい）。この事前の構成をＡＣＫ／ＮＡＣＫチャンネル化(channelization)と称する。所与のＲＢがＡＣＫ／ＮＡＣＫシグナリングに排他的に使用されるケースでは、既存のチャンネル化解決策がある（Ｒ１−０８００３５を参照されたい）。
【０００９】
又、周期的ＣＱＩ送信（即ち、ＣＳ）に使用されるＰＵＣＣＨリソースは、上位レイヤシグナリングを経て半静的に構成されることも認められる。典型的には、ＡＣＫ／ＮＡＣＫ及びＣＱＩに対して、個別のＰＲＢが割り当てられる。
【００１０】
更に、異なるＵＥのＡＣＫ／ＮＡＣＫ及びＣＱＩチャンネルが同じＰＲＢへとマルチプレクスされるマルチプレクス結合をサポートすることが決定されている。この結合は、ＬＴＥの最小帯域巾オプション（例えば、１．４ＭＨｚ）で行う必要があると分かっている。この場合、コントロールシグナリングオーバーヘッドが過剰になるためにＡＣＫ／ＮＡＣＫ及びＣＱＩに対して個別のＰＵＣＣＨ  ＰＲＢをもたせることは経済的でない。しかしながら、ＡＣＫ／ＮＡＣＫチャンネル化の原理が合意されているが、単一ＰＵＣＣＨ  ＰＲＢにおけるＡＣＫ／ＮＡＣＫ及びＣＱＩの混合割り当てをサポートするためのメカニズムについては、何の判断もなされていない。
【発明の概要】
【発明が解決しようとする課題】
【００１１】
即ち、現在のところ、異なるＵＥからのＡＣＫ／ＮＡＣＫ及びＣＱＩが同じＰＲＢ内でマルチプレクスされる場合に、ＡＣＫ／ＮＡＣＫチャンネル化に対して合意された解決策は存在しない。同じＲＢを共有するＣＱＩ信号がないときにＰＵＣＣＨに使用されるべきＡＣＫ／ＮＡＣＫチャンネル化を定義することについては、Ｒ１−０８００３５を参照されたい。このチャンネル化の結果が、Ｒ１−０８００３５からのテーブル３を再現した図３に示す食い違い型ＡＣＫ／ＮＡＣＫ構造である。
【００１２】
以下の説明では、ＰＵＣＣＨ及びＰＵＳＣＨを含むＵＬ物理的チャンネルの５章の説明について、参考としてここに援用する３ＧＰＰ  ＴＲ  ３６．２１１、Ｖ８．１．０（２００７−１１）、第３世代パートナーシッププロジェクト；技術仕様グループ無線アクセスネットワーク；物理的チャンネル及び変調（リリース８）、を参照する。
【課題を解決するための手段】
【００１３】
ここに述べる概要は、単なる例示に過ぎず、これに限定されるものではない。上述した問題及び他の問題は、本発明のここに例示する実施形態の使用により克服され、且つ他の効果が実現される。
【００１４】
本発明の１つの規範的実施形態において、方法は、アクセスノードから装置に向かって値を送信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップと、前記第１部分及び第２部分の少なくとも１つを使用して少なくとも１つの送信を受信するステップと、を備えている。
【００１５】
本発明のここに例示する別の実施形態において、装置は、値を別の装置に向けて送信するように構成された送信器であって、前記値は、アップリンクリソースブロックの第１部分のサイズを表すものであり、前記アップリンクリソースブロックは、複数の他の装置間に共有され、前記第１部分は、第１形式のシグナリングを装置へ送信するために指定され、更に、アップリンクリソースブロックの第２部分が、第２形式のシグナリングを装置へ送信するために指定されるような送信器と、前記第１部分及び第２部分の少なくとも１つを使用して少なくとも１つの送信を受信するように構成された受信器と、を備えている。
【００１６】
本発明のここに例示する別の実施形態において、方法は、アクセスノードから値を受信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップと、前記第１部分及び第２部分の少なくとも１つを使用して少なくとも１つの送信を送出するステップと、を備えている。
【００１７】
本発明のここに例示する別の実施形態において、装置は、アクセスノードから値を受信するように構成された受信器であって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような受信器と、前記第１部分及び第２部分の少なくとも１つを使用して少なくとも１つの送信を送出するように構成された送信器と、を備えている。
【００１８】
本発明のここに例示する実施形態の前記態様及び他の態様は、添付図面を参照して以下の詳細な説明を読んだときに容易に明らかとなろう。
【図面の簡単な説明】
【００１９】
【図１】３ＧＰＰ  ＴＳ  ３６．３００、Ｖ８．２．０の図４を再現したもので、Ｅ−ＵＴＲＡＮシステムの全体的アーキテクチャーを示す。
【図２Ａ】本発明のここに例示する実施形態の具現化に使用するのに適した種々の規範的電子装置の簡単なブロック図である。
【図２Ｂ】図２Ａに示す規範的なユーザ装置の詳細なブロック図である。
【図３】Ｒ１−０８００３５からのテーブル３を再現するもので、通常のＣＰをもつ１８個のＡＣＫ／ＮＡＣＫチャンネルの場合のリソース割り当てを示す。
【図４】本発明のここに例示する実施形態により、同じＲＢ内で（異なるＵＲからの）ＡＣＫ／ＮＡＣＫ及びＣＱＩをマルチプレクスするところを示すテーブルである。
【図５】本発明のここに例示する実施形態により、通常のＣＰ、Δshift＝２、δoffset＝０、ＮAN＝４の６個のＡＣＫ／ＮＡＣＫチャンネルの場合のリソース割り当てを示すテーブルである。
【図６】本発明のここに例示する実施形態により、図２Ａに示すネットワークアクセスノード（ｅＮＢ）に対して、ここに例示する方法の操作と、ここに例示するコンピュータプログラムインストラクションの実行の結果とを示す論理フロー図である。
【図７】本発明のここに例示する実施形態により、図２Ａ及び２Ｂに示すユーザ装置に対して、ここに例示する方法の操作と、ここに例示するコンピュータプログラムインストラクションの実行の結果とを示す論理フロー図である。
【図８】本発明のここに例示する実施形態により、ネットワークアクセスノード（ｅＮＢ）に対して、ここに例示する別の方法の操作と、ここに例示するコンピュータプログラムインストラクションの実行の結果とを示す論理フロー図である。
【図９】本発明のここに例示する実施形態により、ユーザ装置に対して、ここに例示する別の方法の操作と、ここに例示するコンピュータプログラムインストラクションの実行の結果とを示す論理フロー図である。
【発明を実施するための形態】
【００２０】
本発明の規範的実施形態は、一般的に、３ＧＰＰ  ＬＴＥ規格化に係り、より詳細には、レイヤ１仕様（３ＧＰＰ  ＴＳ  ３６．２ＸＸ）に係る。より特定すれば、この規範的実施形態は、複数のＵＥからのＡＣＫ／ＮＡＣＫ送信（ＰＵＣＣＨフォーマット１／１ａ／１ｂ）及びＣＱＩ（ＰＵＣＣＨフォーマット２／２ａ／２ｂ）が同じＰＵＣＣＨ  ＰＲＢを共有する場合にＰＵＣＣＨを経て周期的にＣＱＩを送信するためのリソースの割り当てに係る。この規範的実施形態は、他のシステム観点への影響を最小にしてコントロールリソースを柔軟に且つ効率的に使用できるようにする新規な技術を提供する。
【００２１】
しかし、本発明の規範的実施形態は、Ｅ−ＵＴＲＡＮ（ＵＴＲＡＮ−ＬＴＥ）システムに関連して以下に述べるが、この１つの特定形式のワイヤレス通信システムへの使用のみに限定されず、他のワイヤレス通信システムにも効果的に使用できることに注意されたい。
【００２２】
本発明の規範的実施形態を詳細に説明する前に、本発明の規範的実施形態の実施に使用するのに適した種々の規範的電子デバイス及び装置の簡単なブロック図である図２Ａを参照する。図２Ａにおいて、ワイヤレスネットワーク１は、ノードＢ（ベースステーション）のようなネットワークアクセスノード、特に、ｅＮＢ１２を経、ワイヤレスリンク１１を経て、ユーザ装置（ＵＥ）１０と称される移動通信装置のような装置と通信するようにされる。ネットワーク１は、ネットワークコントロール要素（ＮＣＥ）１４を備え、これは、図１に示すＭＭＥ／Ｓ−ＧＷ機能を含み、電話ネットワーク及び／又はデータ通信ネットワーク（例えば、インターネット）のような１つ以上の他のネットワークとの接続を与える。ＵＥ１０は、コンピュータ又はデータプロセッサ（ＤＰ）１０Ａのようなコントローラと、コンピュータインストラクションのプログラム（ＰＲＯＧ）１０Ｃを記憶するメモリ（ＭＥＭ）１０Ｂとして実施されるコンピュータ読み取り可能なメモリ媒体と、１つ以上のアンテナを経てｅＮＢ１２と両方向ワイヤレス通信するための適当な高周波数（ＲＦ）トランシーバ１０Ｄとを備えている。
【００２３】
ｅＮＢ１２は、コンピュータ又はデータプロセッサ（ＤＰ）１２Ａのようなコントローラと、コンピュータインストラクションのプログラム（ＰＲＯＧ）１２Ｃを記憶するメモリ（ＭＥＭ）１２Ｂとして実施されるコンピュータ読み取り可能なメモリ媒体と、１つ以上のアンテナを経てＵＥ１０と通信するための適当な高周波数（ＲＦ）トランシーバ１２Ｄとを備えている。ｅＮＢ１２は、データ／コントロール経路１３を経てＮＣＥ１４に結合される。非限定例として、経路１３は、図１に示すＳ１インターフェイスとして実施されてもよい。
【００２４】
ＮＣＥ１４は、コンピュータ又はデータプロセッサ（ＤＰ）１４Ａのようなコントローラと、コンピュータインストラクションのプログラム（ＰＲＯＧ）１４Ｃを記憶するメモリ（ＭＥＭ）１４Ｂとして実施されるコンピュータ読み取り可能なメモリ媒体とを備えている。上述したように、ＮＣＥ１４は、データ／コントロール経路１３を経てｅＮＢ１２へ結合される。又、ｅＮＢ１２は、例えば、図１に示すＸ２インターフェイスとして実施できるデータ／コントロール経路１５を経て１つ以上の他のｅＮＢへも結合される。
【００２５】
ＰＲＯＧ１０Ｃ及び１２Ｃの少なくとも１つは、それに関連したＤＰ１０Ａ、１２Ａにより実行されたときに、以下に詳細に述べる本発明の規範的実施形態により各装置が動作できるようにするプログラムインストラクションを含むと仮定する。
【００２６】
即ち、本発明の規範的実施形態は、ＵＥ１０のＤＰ１０Ａ及び／又はｅＮＢ１２のＤＰ１２Ａにより実行可能なコンピュータソフトウェア、又はハードウェア、或いはソフトウェア及びハードウェア（並びにファームウェア）の組合せにより、少なくとも一部分実施することができる。
【００２７】
典型的に、ｅＮＢ１２によってサービスされる複数のＵＥ１０がある。それらＵＥは、同一に（例えば、図２Ａに示すＵＥと同様に）構成されてもされなくてもよいが、一般的には、その全てが、ワイヤレスネットワーク１において動作するのに必要な当該ネットワークプロトコル及び規格に電気的及び論理的に適合すると仮定する。従って、各ＵＥは、ダウンリンク送信を受信することの成功又は失敗をｅＮＢ１２に通知するのに使用されるＡＣＫ／ＮＡＣＫ機能的ユニット１０Ｅと、チャンネルクオリティ情報をｅＮＢ１２に通知するためのチャンネル測定／特徴付け及びＣＱＩ機能的ユニット１０Ｆとを含むと仮定する。本発明の規範的実施形態は、その少なくとも一部分は、ＡＣＫ／ＮＡＣＫ及びＣＱＩ機能的ユニット１０Ｅ、１０Ｆの出力を、少なくとも１つの他のＵＥ１０から送信される同じ情報に関連して（即ち、それとマルチプレクスして）、１つのＵＬ  ＲＢへ送信できるようにすることに関する。ある規範的実施形態では、ＤＰ１０Ａは、ＡＣＫ／ＮＡＣＫ  １０Ｅ及びＣＱＩ  １０Ｆの少なくとも１つを含む。他の規範的実施形態では、ＡＣＫ／ＮＡＣＫ  １０Ｅ及びＣＱＩ  １０Ｆの少なくとも１つが、１つ以上のプロセッサ、データプロセッサ、処理装置、処理要素、処理ブロック、回路、回路装置、回路要素、回路ブロック、集積回路及び／又はチップ（例えば、１つ以上の回路又は集積回路を含むチップ）において実施される。
【００２８】
一般的に、ＵＥ１０の種々の実施形態は、移動ノード、移動ステーション、移動電話、セルラー電話、ワイヤレス通信能力を有するパーソナルデジタルアシスタント（ＰＤＡ）、移動ルーター、中継ステーション、中継ノード、ワイヤレス通信能力を有するポータブルコンピュータ、ワイヤレス通信能力を有するデジタルカメラのような映像捕獲装置、ワイヤレス通信能力を有するゲーム機、ワイヤレス通信能力を有する音楽記憶・再生機器、ワイヤレスインターネットアクセス及びブラウジングを行うことのできるインターネット機器、並びにこのような機能を組み合わせて合体するポータブルユニット又はターミナルを含むが、これらに限定されない。
【００２９】
ＭＥＭ１０Ｂ、１２Ｂ、及び１４Ｂは、ローカル技術環境に適した任意の形式のものでよく、非限定例として、半導体ベースのメモリ装置、フラッシュメモリ、磁気メモリ装置及びシステム、光学的メモリ装置及びシステム、固定メモリ及び取り外し可能なメモリのように、適当なデータ記憶技術を使用して実施することができる。ＤＰ１０Ａ、１２Ａ、及び１４Ａは、ローカル技術環境に適した任意の形式のものでよく、非限定例として、汎用コンピュータ、特殊目的コンピュータ、マイクロプロセッサ、デジタル信号プロセッサ（ＤＳＰ）、並びにマルチコアプロセッサアーキテクチャーに基づくプロセッサ、の１つ以上を含む。
【００３０】
図２Ｂは、規範的なＵＥ１０を、平面図（左側）及び断面図（右側）で示している。本発明の規範的実施形態は、図２Ｂに示すような１つ以上の機能特有コンポーネントを含む１つ以上の組合せで実施することができる。図２Ｂに示すように、ＵＥ１０は、グラフィックディスプレイインターフェイス２０と、キーパッドを含むユーザインターフェイス２２と、マイクロホン２４と、スピーカ３４とを備えている。更に別の規範的実施形態においては、ＵＥ１０は、グラフィックディスプレイインターフェイス２０におけるタッチスクリーン技術、及び／又はマイクロホン２４で受信した音声信号のための音声認識技術も含む。電力アクチュエータ２６は、ユーザによりオン及び／又はオフにされるＵＥ１０をコントロールする。ＵＥ１０は、カメラ２８を備え、これは、（例えば、ビデオコールのために）前方を向いて示されているが、それとは別に又はそれに加えて（例えば、映像及びビデオを捕獲してローカル記憶するために）後方を向いてもよい。カメラ２８は、シャッターアクチュエータ３０により、及び任意であるが、ズームアクチュエータ３０により、コントロールされ、これは、カメラ２８がアクティブなモードにないときにスピーカ３４のための音量調整器として機能してもよい。
【００３１】
図２Ｂの断面図には、典型的にワイヤレス通信（例えば、セルラー通信）に使用される複数の送信／受信アンテナ３６が見られる。これらのアンテナ３６は、ＵＥの他の無線にも使用するためにマルチバンドである。アンテナ３６に対する動作可能な接地平面が、ＵＥハウジングにより包囲された全スペースに及ぶ陰影で示されているが、ある実施形態では、接地平面は、電力チップ３８が形成されるプリント配線板に配置される小さなエリアに限定されてもよい。電力チップ３８は、空間的ダイバーシティが使用される場合に同時に送信を行うアンテナを経て及び／又はそれを横切って送信されるチャンネルの電力増幅を制御し、そして受信信号を増幅する。電力チップ３８は、増幅された受信信号を高周波（ＲＦ）チップ４０へ出力し、このチップは、その信号を基本帯域処理のために復調してダウン変換する。基本帯域（ＢＢ）チップ４２は、信号を検出し、この信号は、次いで、ビットストリームへ変換され、最終的にデコードされる。ＵＥ１０に発生されてそこから送信される信号については、同様の処理が逆に行われる。
【００３２】
カメラ２８への及びカメラ２８からの信号は、映像／ビデオプロセッサ（ビデオ）４４を通過し、これは、映像データ（例えば、映像フレーム）をエンコード及びデコードするものである。又、スピーカ３４及びマイクロホン２４への及びそれらからの信号をコントロールするために個別の音声プロセッサ４６も存在する。グラフィックディスプレイインターフェイス２０は、ユーザインターフェイス／ディスプレイチップ５０により制御されるフレームメモリ（フレームｍｅｍ）４８からリフレッシュされ、このチップ５０は、ディスプレイインターフェイス２０への及びそこからの信号を処理し、及び／又はそれに加えて、キーパッド２２及び他の場所からのユーザ入力も処理する。
【００３３】
又、ＵＥ１０のある規範的な実施形態は、１つ以上のオンチップアンテナを合体するか又は１つ以上のオフチップアンテナに結合されるワイヤレスローカルエリアネットワーク無線（ＷＬＡＮ）３７及び／又はＢｌｕｅｔｏｏｔｈ（登録商標）無線（ＢＴ）３９のような１つ以上の二次無線を含んでもよい。ＵＥ１０全体にわたり、ランダムアクセスメモリ（ＲＡＭ）４３、リードオンリメモリ（ＲＯＭ）４５のような種々のメモリがあり、そしてある規範的実施形態では、図示されたメモリカード４７のような取り外し可能なメモリがある。ある規範的実施形態では、種々のプログラム１０Ｃがメモリカード４７に記憶される。ＵＥ１０内のコンポーネントは、バッテリ４９のようなポータブル電源によって付勢される。
【００３４】
上述したプロセッサ３８、４０、４２、４４、４６、５０は、ＵＥ１０又はｅＮＢ１２における個別のエンティティとして実施される場合には、メイン／マスタープロセッサ１０Ａ、１２Ａに対してマスター／スレーブ関係で動作する。本発明の規範的実施形態は、メイン／マスタープロセッサ１０Ａ（例えば、プロセッサ１０Ａにより実行されるコンピュータインストラクション）に最も関連しているが、他の規範的実施形態は、このような装置又は要素において実施される必要はなく、図示された種々のチップ及び／又はメモリにわたって実施されてもよいし、或いは図２Ｂを参照して上述した１つ以上の機能を結合する１つ以上の他のプロセッサ内で実施されてもよいことに注意されたい。図２Ｂのこれら種々のプロセッサは、そのいずれか又は全部が、そのプロセッサとオンチップであるか又はそれとは個別である１つ以上の種々のメモリにアクセスすることができる。ピコネットより広いネットワークを経ての通信に向けられた同様の機能特有要素（例えば、コンポーネント３６、３８、４０、４２−４５及び４７）も、アクセスノード１２の規範的実施形態において実施され、このアクセスノードは、ある規範的実施形態では、図２Ｂに示すアンテナ３６ではなく、塔装着アンテナのアレイを含む。
【００３５】
上述した種々のプロセッサ及び／又はチップ（例えば、３８、４０、４２等）は、より少数のそのようなプロセッサ及び／又はチップへと結合することができ、最もコンパクトなケースでは、単一プロセッサ又はチップ内で物理的に実施できることに注意されたい。
【００３６】
メモリを参照して上述したが、これらの要素は、一般的に、記憶装置、記憶回路、記憶要素、及び／又は記憶ブロックに対応すると考えられる。ある規範的実施形態では、これらの要素は、１つ以上のコンピュータ読み取り可能な媒体、１つ以上のコンピュータ読み取り可能なメモリ、及び／又は１つ以上のプログラム記憶装置を含む。
【００３７】
プロセッサを参照して上述したが、これらの要素は、一般的に、プロセッサ、データプロセッサ、処理装置、処理要素、処理ブロック、回路、回路装置、回路要素、回路ブロック、集積回路、及び／又はチップ（例えば、１つ以上の回路又は集積回路を含むチップ）に対応すると考えられる。
【００３８】
従来、ＡＣＫ／ＮＡＣＫ及び／又はＣＱＩは、ＵＥ１０が同時データ送信を行わない場合にのみＰＵＣＣＨにおいてシグナリングされたことに注意されたい。ＵＥ１０がコントロール及びデータの両方を送信する場合には、それら信号が時間マルチプレクスされて、ＰＵＳＣＨにおいて送信された。しかしながら、ＬＴＥ−Ａのもとでは、ＵＥは、ＰＵＳＣＨ及びＰＵＣＣＨにおいて同時に送信することができる。
【００３９】
ＰＵＣＣＨフォーマット１／１ａ／１ｂ信号（例えば、第１形式のシグナリング）は、ＡＣＫ／ＮＡＣＫについて述べるときに重要であることに注意されたい。又、ＡＣＫ／ＮＡＣＫ信号は、スケジューリング要求シグナリングもカバーすることに注意されたい。これに対応して、ＣＱＩについて一般的に述べるときには、ＰＵＣＣＨフォーマット２／２ａ／２ｂ信号（例えば、第２形式のシグナリング）が重要である。以下のテーブル１は、ＰＵＣＣＨフォーマットを要約するものである。
【表１】
2011511591.tif 000003
【００４０】
ここでの説明は、主として、ＣＱＩを参照して行うが、更に別の規範的実施形態では、異なる種類のチャンネルフィードバック情報を使用することができる。非限定例として、チャンネルフィードバック情報は、次の１つ以上を含む。
・チャンネルクオリティインジケータ（ＣＱＩ）
・ランクインジケータ（ＲＩ）、及び
・プレコーディングマトリクスインジケータ（ＰＭＩ）
【００４１】
本発明の規範的実施形態は、異なるＵＥのシーケンス変調ＡＣＫ／ＮＡＣＫ及びＣＱＩ信号が同じＲＢ内でマルチプレクスされ、従って、Ｒ１−０８００３５に述べられたような既存のＡＣＫ／ＮＡＣＫチャンネル化技術提案を有利に拡張し向上させるチャンネル化方法、装置及びコンピュータプログラムを提供する。
【００４２】
本発明の規範的実施形態によりＡＣＫ／ＮＡＣＫとＣＱＩとの間でマルチプレクスするための改善型チャンネル化構成を、図４を参照して以下に述べる。１２個のサイクリックシフト（０から１１まで番号付けされたＣＳ）を含む所与のＰＵＣＣＨリソース（例えば、ＲＢ）が、局所化ＣＳ分離（ガードシフト）によりＡＣＫ／ＮＡＣＫとＣＱＩとの間で分割される。ＣＳは、一般的に、ゼロの自己相関ゾーンをもつコンピュータ発生シーケンスのサイクリックシフトである（即ち、シーケンスは、一定の振幅を示さない）。図４を参照すれば、直交カバーコードは、ＣＱＩスペース又は部分に適用されず、ＡＣＫ／ＮＡＣＫスペースを使用してスケジューリング要求がシグナリングされ、そしてあるＵＥ１０がＡＣＫ／ＮＡＣＫとＣＱＩとの両方を送信する必要がある場合にＣＱＩリソースが使用されることに注意されたい。ＡＣＫ／ＮＡＣＫ  ＯＣシーケンスセットのリスティングについてはＲ１−０８００３５のテーブル１を参照することができる。
【００４３】
2011511591.tif 000004
【００４４】
2011511591.tif 000005
【００４５】
2011511591.tif 000006
【００４６】
以前に提案された解決策（Ｒ１−０８０６２１の「ＰＵＣＣＨ構造」を参照されたい）に比して、ＮAN（或いはＮCQI）は、例えば、ＲＲＣシグナリングを経て、ｅＮＢ１２からＵＥ１０へシグナリングされるべき付加的なパラメータである。非限定例として、この情報は、２ビット又は３ビットを使用してブロードキャストチャンネル上を搬送される。又、非限定例として、ＮANは、｛０、１、・・・７｝の許可値と共に３ビットを使用してブロードキャストされる。上述した相互依存性のために、ＮAN又はＮCQIの１つしかシグナリングする必要がないが、ある規範的実施形態では、両方の値がシグナリングされる。或いは又、専用（ＵＥ特有）のコントロールシグナリング（例えば、ＲＲＣコントロールシグナリング）を使用してもよい。
【００４７】
以前は、ＬＴＥについて、ＰＵＣＣＨにおける記号レベルのセル特有のＣＳホッピングが常に可能とされることが決定されている。更に、以前は、ＬＴＥについて、ＰＵＣＣＨが２つのスロット間の個別のＣＳ／ＯＣ再マッピングを使用して、異なるＣＳ／ＯＣリソース間の干渉をランダム化することが決定されている。本発明の規範的実施形態は、ＡＣＫ／ＮＡＣＫチャンネルに対するＣＳ／ＯＣ再マッピングがＮANサイクリックシフト内でしか動作しないことを定義することによりこれらの手順を受け容れる。対応的に、ＣＱＩチャンネルに対するＣＳ再マッピングは、ＮCQIサイクリックシフト内でしか動作しない。上述したように、ＯＣは、ＣＱＩ部分には適用されない。
【００４８】
非限定例として、本発明の規範的実施形態は、方程式ベース（アルゴリズム）の解決策又はルックアップテーブルベースの解決策のいずれかを使用して具現化することができる。それに対応する機能は、ＵＥ１０及びｅＮＢ１２の両方に位置される。
【００４９】
方程式ベースの解決策の一例を、草案仕様ＴＳ  ３６．２１１  ｖ．８．１．０からの表記法を使用して以下に示す。
2011511591.tif 000007
【００５０】
2011511591.tif 000008
【００５１】
2011511591.tif 000009
【００５２】
本発明の規範的実施形態の別の具現化は、Ｒ１−０８００３５に使用されるものと同様のテーブル表記法を適用することである。この解決策の一例が図５に示されている。図５は、本発明の規範的実施形態により、通常ＣＰ、Δshift＝２、δoffset＝０、ＮAN＝４を伴う６個のＡＣＫ／ＮＡＣＫチャンネルの場合のリソース割り当てを示すテーブルである。
【００５３】
ＡＣＫ／ＮＡＣＫチャンネルに対するＣＳ／ＯＣ再マッピングは、多数の仕方で実現され、例えば、論理的なＡＣＫ／ＮＡＣＫチャンネルインデックスに関して実現されるか、又はサイクリックシフト及び直交カバーシーケンスのための個別の再マッピングパターンを定義することにより実現される。後者の場合には、２つのスロット間のサイクリックシフト再マッピングが、予め定義されたサイクリックシフトホッピングパターンにより実現される。ＡＣＫ／ＮＡＣＫチャンネルに対するこのような再マッピングパターンの１つの適当な非限定例は、次の通りである。
【数１】
2011511591.tif 000010
但し、ＣＳ＿ｓ１は、第１のスロット［０、１、・・・ＮAN］に対する割り当てられたサイクリックシフト値に等しく、ＣＳ＿ｓ２は、第２のスロットに対する対応サイクリックシフト値であり、そしてｍｏｄは、モジュロ演算（除算後のモジュラス）である。ＡＣＫ／ＮＡＣＫのための別のランダム化パターンは、ＣＳ＿ｓ１の全ての値に対して、ＣＳ＿ｓ２＝ｍｏｄ（−ＣＳ＿ｓ１、ＮAN）を適用する。
【００５４】
ＣＱＩリソースに対して適用されるべきＣＳ再マッピングパターンは、ＣＳ＿ｃｑｉ０と示されたスタートＣＳ位置に関する付加的な知識を使用する。ＣＱＩに対する規範的なＣＳ再マッピングパターンは、次の通りである。
ＣＳ＿ｓ２＝ｍｏｄ（−ＣＳ＿ｓ１、ＮCQI）＋ＣＳ＿ｃｑｉ０
【００５５】
本発明の規範的実施形態の使用は、ＡＣＫ／ＮＡＣＫ  ＯＣ再マッピングに影響しないことに注意されたい。
【００５６】
これら規範的実施形態の使用により多数の効果を実現することができる。例えば、それらは、既存のＡＣＫ／ＮＡＣＫチャンネル化方程式に対して簡単な拡張を与える。更に、例えば、チャンネル化方程式の簡単さが維持される。というのは、ＮANが
2011511591.tif 000011
の整数倍として定義されるからである。オプションの数の制約は、ＲＲＣシグナリングのビットを排除し、それにより、シグナリング帯域巾の保存性及び使用性を向上させる。一般的に、必要とされる付加的なシグナリングは、最小である。というのは、例えば、ＮANのＲＲＣシグナリング（例えば、２−３ビット）しか必要とされないからである。ＮANの適用値は、パラメータ
2011511591.tif 000012
に依存することに注意されたい。例えば、２ビットでは、ＮANについて考えられる値が次のようになる。
【００５７】
【表２】
2011511591.tif 000013
【００５８】
加えて、更に別の効果として、ＡＣＫ／ＮＡＣＫチャンネルのスタートＣＳ位置をシグナリングする必要がなく、それにより、シグナリングの負担を更に低減する。ＣＱＩに対するＣＳ割り当ては、明確なシグナリングによって構成される。別の効果として、これら規範的実施形態の使用は、ＡＣＫ／ＮＡＣＫとＣＱＩとの間に充分な直交性を与え、これは、ＡＣＫ／ＮＡＣＫ及びＣＱＩがＳＮＲに関して異なる動作要件を有するので、望ましいものである。更に、ＡＣＫ／ＮＡＣＫとＣＱＩとの間の直交性は、ＡＣＫ／ＮＡＣＫ及びＣＱＩの各々がそれらに関連したＣＳスペース内でそれら自身のＣＳランダム化を受けるという点で、ＣＳ／ＯＣ再マッピング中維持される。
【００５９】
以上に基づき、本発明の規範的実施形態は、複数のＵＥからのＡＣＫ／ＮＡＣＫ及びＣＱＩ送信を単一のＵＬリソースブロックへとマルチプレクスするための方法、装置及びコンピュータプログラムを提供することが明らかであろう。
【００６０】
図６は、本発明の規範的実施形態による方法の操作及びコンピュータプログラムインストラクションの実行の結果を示す論理フローチャートである。ブロック６Ａにおいて、ネットワークアクセスノードは、ＵＥから第１形式のシグナリングを送信するのに共有ＵＬリソースブロックのどの部分を使用するかの定義と、ＵＥから第２形式のシグナリングを送信するのに共有ＵＬリソースブロックのどの部分（もしあれば）を使用するかの定義とを、ＵＥが決定できるようにする値を複数のＵＥに通知する。ブロック６Ｂにおいて、ネットワークアクセスノードは、複数のＵＥの少なくとも幾つかから少なくとも第１形式のシグナリングを含むＵＬリソースブロックを受け取る。
【００６１】
前の段落の方法、装置及びコンピュータプログラムインストラクションでは、ＵＬリソースブロックが、複数のサイクリックシフトにより特徴付けられ、そして各サイクリックシフトに関連して、複数のカバーコードにより特徴付けられる。
【００６２】
前の段落の方法、装置及びコンピュータプログラムインストラクションでは、第１形式のシグナリングがＡＣＫ／ＮＡＣＫシグナリングを含み、第２形式のシグナリングがＣＱＩシグナリングを含み、第１のサイクリックシフトでスタートする少なくとも１つのサイクリックシフトが、ＡＣＫ／ＮＡＣＫシグナリングの送信に使用するための第１グループとして定義され、そしてガードバンドの目的で定義されたサイクリックシフトより２つ少ない、複数のサイクリックシフトのうちの残りの数のサイクリックシフトが、ＣＱＩシグナリングの送信に使用するための第２グループとして定義される。
【００６３】
前の段落の方法、装置及びコンピュータプログラムインストラクションでは、第１グループのサイクリックシフトが、第１の規定のサイクリックシフトホッピング順序でネットワークノードにより受け取られ、そして第２グループのサイクリックシフトが、第２の規定のサイクリックシフトホッピング順序でネットワークノードにより受け取られる。
【００６４】
前の段落の方法、装置及びコンピュータプログラムインストラクションは、第１グループのサイクリックシフトを第１の規定のサイクリックシフトホッピング順序で再マッピングすること、及び第２グループのサイクリックシフトを第２の規定のサイクリックシフトホッピング順序で再マッピングすることを更に含む。前の段落の方法、装置及びコンピュータプログラムインストラクションでは、前記再マッピングは、ＰＵＣＣＨを経て通信するためにスロット間で遂行される。又、前の段落の方法、装置及びコンピュータプログラムインストラクションでは、前記再マッピングは、ランダム再マッピングを含む。
【００６５】
前の段落の方法、装置及びコンピュータプログラムインストラクションでは、ＡＣＫ／ＮＡＣＫシグナリングのみが、カバーコードに関連してネットワークノードにより受け取られる。
【００６６】
前の段落の方法、装置及びコンピュータプログラムインストラクションでは、ネットワークアクセスノードが、ブロードキャストチャンネルを使用して、又はＵＥ特有のＲＲＣシグナリング、例えば、ＲＲＣコントロールメッセージを使用して、複数のＵＥに値を通知する。
【００６７】
図７は、本発明の規範的実施形態による方法の操作及びコンピュータプログラムインストラクションの実行の結果を示す別の論理フローチャートである。ブロック７Ａにおいて、ＵＥは、ＵＥから第１形式のシグナリングを送信するのに共有ＵＬリソースブロックのどの部分を使用するかの定義と、ＵＥから第２形式のシグナリングを送信するのに共有ＵＬリソースブロックのどの部分（もしあれば）を使用するかの定義とを、ＵＥが決定できるようにするある情報をネットワークアクセスノードから受け取る。ブロック７Ｂにおいて、ＵＥは、少なくとも第１形式のシグナリングをＵＬリソースブロックにおいて送信する。
【００６８】
前の段落の方法、装置及びコンピュータプログラムインストラクションでは、ＵＬリソースブロックが、複数のサイクリックシフトにより特徴付けられ、そして各サイクリックシフトに関連して、複数のカバーコードにより特徴付けられる。
【００６９】
前の段落の方法、装置及びコンピュータプログラムインストラクションでは、第１形式のシグナリングがＡＣＫ／ＮＡＣＫシグナリングを含み、第２形式のシグナリングがＣＱＩシグナリングを含み、第１のサイクリックシフトでスタートする少なくとも１つのサイクリックシフトが、ＡＣＫ／ＮＡＣＫシグナリングの送信に使用するための第１グループとして定義され、そしてガードバンドの目的で定義されたサイクリックシフトより２つ少ない、複数のサイクリックシフトのうちの残りの数のサイクリックシフトが、ＣＱＩシグナリングの送信に使用するための第２グループとして定義される。
【００７０】
前の段落の方法、装置及びコンピュータプログラムインストラクションは、第１グループのサイクリックシフトを第１の規定のサイクリックシフトホッピング順序で再マッピングすること、及び第２グループのサイクリックシフトを第２の規定のサイクリックシフトホッピング順序で再マッピングすることを更に含む。前の段落の方法、装置及びコンピュータプログラムインストラクションでは、前記再マッピングは、ランダム再マッピングを含む。
【００７１】
前の段落の方法、装置及びコンピュータプログラムインストラクションでは、特定のカバーコードがＡＣＫ／ＮＡＣＫシグナリングのみに適用される。
【００７２】
前の段落の方法、装置及びコンピュータプログラムインストラクションでは、ある情報がブロードキャストチャンネルから受け取られる。
【００７３】
以下、非限定例である種々の規範的実施形態について更に説明する。以下に述べる規範的実施形態は、明瞭化及び識別のために別々に番号が付けられる。この番号は、以下の説明を完全に分離するものと解釈されてはならない。というのは、１つ以上の規範的実施形態の種々の態様は、１つ以上の他の態様又は規範的実施形態に関連して実施できるからである。即ち、以下に述べるような本発明の規範的実施形態は、任意の組合せで（例えば、適当な、実施可能な、及び／又は実現可能な組合せで）具現化、実施又は利用することができるのであって、ここに説明され及び／又は請求の範囲に含まれる組合せのみに限定されるものではない。
【００７４】
（１）１つの規範的実施形態において、図８を参照すれば、方法は、アクセスノードから装置に向かって値を送信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップ(801)と、前記第１部分及び第２部分の少なくとも１つを使用して少なくとも１つの送信を受信するステップ(802)と、を備えている。
【００７５】
上述した方法では、第１形式のシグナリングは、確認（ＡＣＫ／ＮＡＣＫ）シグナリングを含み、そして第２形式のシグナリングは、チャンネルクオリティインジケータ（ＣＱＩ）シグナリングを含む。上述した方法では、アップリンクリソースブロックは、更に、第１部分と第２部分との間のガードバンドとして働く第３部分を含む。上述した方法では、第１部分のサイズは、第１形式のシグナリングに対して割り当てられたアップリンクリソースブロックにおけるリソースの数を表す。上述した方法では、前記値が第１の値であり、前記方法は、更に、その第１の値を使用して、アップリンクリソースブロックの第２部分のサイズを表す第２の値を決定することを含む。上述した方法では、前記少なくとも１つの送信は、物理的なアップリンクコントロールチャンネルを経て受信される。上述した方法では、第１部分のサイズは、
2011511591.tif 000014
の整数倍である。上述した方法では、第１部分及び第２部分に対して個別のサイクリックシフト／直交カバーランダム化再マッピングを遂行するステップを更に含む。上述した方法では、受信された少なくとも１つの送信から、第１部分のサイズ及びゼロ以上の他のパラメータに基づいて第１形式のシグナリング及び第２形式のシグナリングを導出するステップを更に含む。上述した方法では、アクセスノードは、エボルブドノードＢを含み、そして装置は、ユーザ装置を含み、これらエボルブドノードＢ及びユーザ装置は、エボルブドユニバーサル地上無線アクセスネットワーク内にエンティティを含む。
【００７６】
上述した方法では、第１形式のシグナリングは、確認（ＡＣＫ／ＮＡＣＫ）シグナリングを含む。上述した方法では、第２形式のシグナリングは、チャンネルクオリティインジケータ（ＣＱＩ）シグナリングを含む。上述した方法では、アップリンクリソースブロックは、第１ガードバンドとして働く第３部分と、第２ガードバンドとして働く第４部分とを更に含む。上述した方法では、アップリンクリソースブロックは、第２のガードバンドとして働く第４部分であって、アップリンクリソースブロックの開始部又はアップリンクリソースブロックの終了部の一方に配置される第４部分を備えている。上述した方法では、アップリンクリソースブロックは、第１部分と第２部分との間の第１のガードバンドとして働く第３部分と、第２のガードバンドとして働く第４部分であって、アップリンクリソースブロックの開始部又はアップリンクリソースブロックの終了部の一方に配置される第４部分とを更に備えている。
【００７７】
上述した方法では、第３部分（及び／又は第４部分）は、第１形式のシグナリングと第２形式のシグナリングとの間の直交性を改善する。上述した方法では、第３部分（及び／又は第４部分）は、ＣＳインデックス番号４（及びＣＳインデックス番号１１）に（各々）位置される。上述した方法では、第３部分は、ＣＳインデックス番号１１に位置され、第４部分は、別のＣＳインデックス番号に位置され、第４部分の位置は、第１形式のシグナリング（例えば、ＡＣＫ／ＮＡＣＫシグナリング）に対して予約されたＣＳの数に依存する。上述した方法では、第２部分のサイズは、第１部分のサイズ及び第３部分のサイズに依存する。上述した方法では、第２部分のサイズは、第１部分のサイズ、第３部分のサイズ、及び第４部分のサイズに依存する。上述した方法では、第３部分のサイズ及び第４部分のサイズは、集合的にガードバンドのサイズと考えられる。上述した方法は、第３部分のサイズを表す第３の値を送信するステップを更に含む。上述した方法は、第４部分のサイズを表す第４の値を送信するステップを更に含む。上述した方法は、第３及び第４部分の集合サイズを表す第５の値を送信するステップを更に含む。
【００７８】
上述した方法では、アップリンクリソースブロックは、複数の直交カバーインデックス及び複数のサイクリックシフトインデックスにより識別される複数のリソースを備えている。上述した方法では、第２部分のサイズは、第２形式のシグナリングに対して割り当てられるアップリンクリソースブロックにおけるリソースの数を表す。上述した方法では、第２部分のサイズは、第２形式のシグナリングに対して割り当てられるアップリンクリソースブロックにおけるリソースの数を表す。
【００７９】
上述した方法では、第１部分は、アップリンクリソースブロック内の第１の数の隣接ＣＳリソースより成る。上述した方法では、隣接ＣＳリソースの第１の数は、
2011511591.tif 000015
の整数倍である。上述した方法では、隣接ＣＳリソースの第１の数は、３の倍数である。上述した方法では、第１の数の隣接ＣＳリソースは、２、４、６又は８の隣接ＣＳリソースより成る。上述した方法では、第１の数の隣接ＣＳリソースは、３、６又は９の隣接ＣＳリソースより成る。上述した方法では、第１の数の隣接ＣＳリソースは、１、２、３、４、５、６、７、８又は９の隣接ＣＳリソースより成る。上述した方法では、第１の数の隣接ＣＳリソースは、１、２、３、４、５、６、７、８、９、１０又は１１の隣接ＣＳリソースより成る。上述した方法では、第１の数の隣接ＣＳリソースは、１２の隣接ＣＳリソースより成る。上述した方法では、
2011511591.tif 000016
は、同じ直交カバーシーケンスを使用する２つの隣接ＣＳリソース間のサイクリックシフト差である。上述した方法では、Δshiftは、１、２又は３の値を有する。上述した方法では、Δshiftは、第１の数の隣接ＣＳリソースの因子である。上述した方法は、更に、Δshiftの値を送信するステップを備えている。上述した方法では、Δshiftは、所与のセル展開に対する多経路遅延広がりを考慮して決定される。
【００８０】
上述した方法では、第２部分は、アップリンクリソースブロック内の第２の数の隣接ＣＳリソースより成る。上述した方法では、隣接ＣＳリソースの第２の数は、隣接ＣＳリソースの第１の数に依存している。上述した方法では、第２の数の隣接ＣＳリソースは、１、４又は７の隣接ＣＳリソースより成る。上述した方法では、第２の数の隣接ＣＳリソースは、２、４、６又は８の隣接ＣＳリソースより成る。上述した方法では、第２の数の隣接ＣＳリソースは、１、２、３、４、５、６、７、８又は９の隣接ＣＳリソースより成る。上述した方法では、第２の数の隣接ＣＳリソースは、１、２、３、４、５、６、７、８、９、１０又は１１の隣接ＣＳリソースより成る。上述した方法では、第２の数の隣接ＣＳリソースは、１２の隣接ＣＳリソースより成る。
【００８１】
上述した方法では、ブロードキャストチャンネルを経て値が送信される。上述した方法では、２又は３ビットを使用して値が送信される。上述した方法では、第２部分のサイズを表す第２の値が送信されない。上述した方法は、第２部分のサイズを表す第２の値を送信するステップを更に含む。上述した方法では、専用のコントロールシグナリングを使用して値が送信される。上述した方法では、ＲＲＣコントロールシグナリングを使用して値が送信される。
【００８２】
上述した方法では、ＡＣＫ／ＮＡＣＫチャンネルに対するＣＳ／ＯＣ再マッピングは、第１部分（のサイクリックシフト）（ＮANサイクリックシフト）内でしか動作しない。上述した方法では、ＣＱＩチャンネルに対するＣＳ再マッピングは、第２部分（のサイクリックシフト）（ＮCQIサイクリックシフト）内でしか動作しない。上述した方法では、ＡＣＫ／ＮＡＣＫチャンネルに対するＣＳ／ＯＣ再マッピングは、論理的ＡＣＫ／ＮＡＣＫチャンネルインデックスに関して実現されるか、又はサイクリックシフト及び直交カバーシーケンスに対する個別の再マッピングパターンを定義することにより実現される。上述した方法では、方程式ベース（アルゴリズム）の解決策又はルックアップテーブルベースの解決策を使用して方法が具現化される。上述した方法では、ＣＱＩに対するリソース（ＣＳ）割り当てが明確なシグナリングで構成される。上述した方法では、ＡＣＫ／ＮＡＣＫ及びＣＱＩの各々がその関連ＣＳスペース内で個別のＣＳランダム化を受けるという点でＣＳ／ＯＣ再マッピング中にＡＣＫ／ＮＡＣＫとＣＱＩとの間の直交性が維持される。上述した方法は、複数のＵＥからのＡＣＫ／ＮＡＣＫ及びＣＱＩ送信をアップリンクリソースブロックへとマルチプレクスするステップを更に備えている。
【００８３】
上述した方法は、コンピュータプログラムとして具現化される。上述した方法は、コンピュータ読み取り可能な媒体（例えば、プログラム記憶装置、メモリ）に記憶された（例えば、有形に実施された）コンピュータプログラムとして具現化される。コンピュータプログラムは、プロセッサにロードされたときに、上述した方法の１つ以上（例えば、いずれか１つ）に基づいてオペレーションを遂行するコンピュータプログラムインストラクションを含む。上述した方法は、プログラム記憶装置に有形に実施されるインストラクションのプログラムとして具現化され、マシン（例えば、プロセッサ又はデータプロセッサ）によるインストラクションのプログラムの実行で、方法のステップより成るオペレーションが得られる。
【００８４】
（２）別の規範的実施形態において、マシンにより読み取り可能なプログラム記憶装置は、オペレーションを遂行するためにマシンにより実行可能なインストラクションのプログラムを有形に実施し、前記オペレーションは、アクセスノードから装置に向かって値を送信するオペレーションであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなオペレーション(801)と、前記第１部分及び第２部分の少なくとも１つを使用して少なくとも１つの送信を受信するオペレーション(802)と、を備えている。
【００８５】
上述したプログラム記憶装置では、プログラム記憶装置は、コンピュータ読み取り可能な媒体と、コンピュータ読み取り可能なメモリと、メモリと、メモリカードと、取り外し可能なメモリと、記憶装置と、記憶コンポーネント及び／又は記憶回路とを備えている。上述したプログラム記憶装置は、本書のどこかで述べた本発明の規範的実施形態の１つ以上の態様と、特に、ここに述べる規範的方法に関係した本発明の規範的実施形態の１つ以上の態様とを更に備えている。
【００８６】
（３）別の規範的実施形態において、装置は、値を別の装置に向けて送信するよう構成された送信器であって、前記値は、アップリンクリソースブロックの第１部分のサイズを表すものであり、前記アップリンクリソースブロックは、複数の他の装置間に共有され、前記第１部分は、第１形式のシグナリングを装置へ送信するために指定され、更に、アップリンクリソースブロックの第２部分が、第２形式のシグナリングを装置へ送信するために指定されるような送信器と、前記第１部分及び第２部分の少なくとも１つを使用して少なくとも１つの送信を受信するように構成された受信器と、を備えている。
【００８７】
上述した装置は、ここに述べる本発明の規範的実施形態の１つ以上の態様を更に含む。
【００８８】
（４）別の規範的実施形態において、装置は、アクセスノードから装置に向かって値を送信するための手段であって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような手段と、前記第１部分及び第２部分の少なくとも１つを使用して少なくとも１つの送信を受信するための手段と、を備えている。
【００８９】
上述した装置では、前記送信手段は、送信器を含み、前記受信手段は、受信器を含む。上述した装置は、ここに述べる本発明の規範的実施形態の１つ以上の態様を含む。
【００９０】
（５）別の規範的実施形態において、装置は、値を別の装置に向けて送信するよう構成された送信回路であって、前記値は、アップリンクリソースブロックの第１部分のサイズを表すものであり、前記アップリンクリソースブロックは、複数の他の装置間に共有され、前記第１部分は、第１形式のシグナリングを装置へ送信するために指定され、更に、アップリンクリソースブロックの第２部分が、第２形式のシグナリングを装置へ送信するために指定されるような送信回路と、前記第１部分及び第２部分の少なくとも１つを使用して少なくとも１つの送信を受信するように構成された受信回路と、を備えている。
【００９１】
上述した装置では、装置は、集積回路を備えている。上述した装置は、ここに述べる本発明の規範的実施形態の１つ以上の態様を更に含む。
【００９２】
（６）別の規範的実施形態において、図９を参照すれば、方法は、アクセスノードから値を受信するステップであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなステップ(901)と、前記第１部分及び第２部分の少なくとも１つを使用して少なくとも１つの送信を送出するステップ(902)と、を備えている。
【００９３】
上述した方法では、第１形式のシグナリングは、確認（ＡＣＫ／ＮＡＣＫ）シグナリングを含み、そして第２形式のシグナリングは、チャンネルクオリティインジケータ（ＣＱＩ）シグナリングを含む。上述した方法では、アップリンクリソースブロックは、更に、第１部分と第２部分との間のガードバンドとして働く第３部分を含む。上述した方法では、第１部分のサイズは、第１形式のシグナリングに対して割り当てられたアップリンクリソースブロックにおけるリソースの数を表す。上述した方法では、前記値が第１の値であり、前記方法は、更に、その第１の値を使用して、アップリンクリソースブロックの第２部分のサイズを表す第２の値を決定することを含む。上述した方法では、前記少なくとも１つの送信は、物理的なアップリンクコントロールチャンネルを経て受信される。上述した方法では、第１部分のサイズは、
2011511591.tif 000017
の整数倍である。上述した方法では、アクセスノードは、エボルブドノードＢを含み、そして装置は、ユーザ装置を含み、これらエボルブドノードＢ及びユーザ装置は、エボルブドユニバーサル地上無線アクセスネットワーク内にエンティティを含む。
【００９４】
上述した方法では、第１形式のシグナリングは、確認（ＡＣＫ／ＮＡＣＫ）シグナリングを含む。上述した方法では、第２形式のシグナリングは、チャンネルクオリティインジケータ（ＣＱＩ）シグナリングを含む。上述した方法では、アップリンクリソースブロックは、第１ガードバンドとして働く第３部分と、第２ガードバンドとして働く第４部分とを更に含む。上述した方法では、アップリンクリソースブロックは、第２のガードバンドとして働く第４部分であって、アップリンクリソースブロックの開始部又はアップリンクリソースブロックの終了部の一方に配置される第４部分を備えている。上述した方法では、アップリンクリソースブロックは、第１部分と第２部分との間の第１のガードバンドとして働く第３部分と、第２のガードバンドとして働く第４部分であって、アップリンクリソースブロックの開始部又はアップリンクリソースブロックの終了部の一方に配置される第４部分とを更に備えている。
【００９５】
上述した方法では、第３部分（及び／又は第４部分）は、第１形式のシグナリングと第２形式のシグナリングとの間の直交性を改善する。上述した方法では、第３部分（及び／又は第４部分）は、ＣＳインデックス番号４（及びＣＳインデックス番号１１）に（各々）位置される。上述した方法では、第３部分は、ＣＳインデックス番号１１に位置され、第４部分は、別のＣＳインデックス番号に位置され、第４部分の位置は、第１形式のシグナリング（例えば、ＡＣＫ／ＮＡＣＫシグナリング）に対して予約されたＣＳの数に依存する。上述した方法では、第２部分のサイズは、第１部分のサイズ及び第３部分のサイズに依存する。上述した方法では、第２部分のサイズは、第１部分のサイズ、第３部分のサイズ、及び第４部分のサイズに依存する。上述した方法では、第３部分のサイズ及び第４部分のサイズは、集合的にガードバンドのサイズと考えられる。上述した方法は、第３部分のサイズを表す第３の値を送信するステップを更に含む。上述した方法は、第４部分のサイズを表す第４の値を受信するステップを更に含む。上述した方法は、第３及び第４部分の集合サイズを表す第５の値を受信するステップを更に含む。
【００９６】
上述した方法では、アップリンクリソースブロックは、複数の直交カバーインデックス及び複数のサイクリックシフトインデックスにより識別される複数のリソースを備えている。上述した方法では、第２部分のサイズは、第２形式のシグナリングに対して割り当てられるアップリンクリソースブロックにおけるリソースの数を表す。上述した方法では、第２部分のサイズは、第２形式のシグナリングに対して割り当てられるアップリンクリソースブロックにおけるリソースの数を表す。
【００９７】
上述した方法では、第１部分は、アップリンクリソースブロック内の第１の数の隣接ＣＳリソースより成る。上述した方法では、隣接ＣＳリソースの第１の数は、
2011511591.tif 000018
の整数倍である。上述した方法では、隣接ＣＳリソースの第１の数は、３の倍数である。上述した方法では、第１の数の隣接ＣＳリソースは、２、４、６又は８の隣接ＣＳリソースより成る。上述した方法では、第１の数の隣接ＣＳリソースは、３、６又は９の隣接ＣＳリソースより成る。上述した方法では、第１の数の隣接ＣＳリソースは、１、２、３、４、５、６、７、８又は９の隣接ＣＳリソースより成る。上述した方法では、第１の数の隣接ＣＳリソースは、１、２、３、４、５、６、７、８、９、１０又は１１の隣接ＣＳリソースより成る。上述した方法では、第１の数の隣接ＣＳリソースは、１２の隣接ＣＳリソースより成る。上述した方法では、
2011511591.tif 000019
は、同じ直交カバーシーケンスを使用する２つの隣接ＣＳリソース間のサイクリックシフト差である。上述した方法では、Δshiftは、１、２又は３の値を有する。上述した方法では、Δshiftは、第１の数の隣接ＣＳリソースの因子である。上述した方法は、更に、Δshiftの値を送信するステップを備えている。上述した方法では、Δshiftは、所与のセル展開に対する多経路遅延広がりを考慮して決定される。
【００９８】
上述した方法では、第２部分は、アップリンクリソースブロック内の第２の数の隣接ＣＳリソースより成る。上述した方法では、隣接ＣＳリソースの第２の数は、隣接ＣＳリソースの第１の数に依存している。上述した方法では、第２の数の隣接ＣＳリソースは、１、４又は７の隣接ＣＳリソースより成る。上述した方法では、第２の数の隣接ＣＳリソースは、２、４、６又は８の隣接ＣＳリソースより成る。上述した方法では、第２の数の隣接ＣＳリソースは、１、２、３、４、５、６、７、８又は９の隣接ＣＳリソースより成る。上述した方法では、第２の数の隣接ＣＳリソースは、１、２、３、４、５、６、７、８、９、１０又は１１の隣接ＣＳリソースより成る。上述した方法では、第２の数の隣接ＣＳリソースは、１２の隣接ＣＳリソースより成る。
【００９９】
上述した方法では、ブロードキャストチャンネルを経て値が受信される。上述した方法では、２又は３ビットを使用して値が受信される。上述した方法では、第２部分のサイズを表す第２の値が受信されない。上述した方法は、第２部分のサイズを表す第２の値を受信するステップを更に含む。上述した方法では、専用のコントロールシグナリングを使用して値が受信される。上述した方法では、ＲＲＣコントロールシグナリングを使用して値が受信される。
【０１００】
上述した方法では、ＡＣＫ／ＮＡＣＫチャンネルに対するＣＳ／ＯＣ再マッピングは、第１部分（のサイクリックシフト）（ＮANサイクリックシフト）内でしか動作しない。上述した方法では、ＣＱＩチャンネルに対するＣＳ再マッピングは、第２部分（のサイクリックシフト）（ＮCQIサイクリックシフト）内でしか動作しない。上述した方法では、ＡＣＫ／ＮＡＣＫチャンネルに対するＣＳ／ＯＣ再マッピングは、論理的ＡＣＫ／ＮＡＣＫチャンネルインデックスに関して実現されるか、又はサイクリックシフト及び直交カバーシーケンスに対する個別の再マッピングパターンを定義することにより実現される。上述した方法では、方程式ベース（アルゴリズム）の解決策又はルックアップテーブルベースの解決策を使用して方法が具現化される。上述した方法では、ＣＱＩに対するリソース（ＣＳ）割り当てが明確なシグナリングで構成される。上述した方法では、ＡＣＫ／ＮＡＣＫ及びＣＱＩの各々がその関連ＣＳスペース内で個別のＣＳランダム化を受けるという点でＣＳ／ＯＣ再マッピング中にＡＣＫ／ＮＡＣＫとＣＱＩとの間の直交性が維持される。
【０１０１】
上述した方法は、コンピュータプログラムとして具現化される。上述した方法は、コンピュータ読み取り可能な媒体（例えば、プログラム記憶装置、メモリ）に記憶された（例えば、有形に実施された）コンピュータプログラムとして具現化される。コンピュータプログラムは、プロセッサにロードされたときに、上述した方法の１つ以上（例えば、いずれか１つ）に基づいてオペレーションを遂行するコンピュータプログラムインストラクションを含む。上述した方法は、プログラム記憶装置に有形に実施されるインストラクションのプログラムとして具現化され、マシン（例えば、プロセッサ又はデータプロセッサ）によるインストラクションのプログラムの実行で、方法のステップより成るオペレーションが得られる。
【０１０２】
（７）別の規範的実施形態において、マシンにより読み取り可能なプログラム記憶装置は、オペレーションを遂行するためにマシンにより実行可能なインストラクションのプログラムを有形に実施し、前記オペレーションは、アクセスノードから値を受信するオペレーションであって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるようなオペレーション(901)と、前記第１部分及び第２部分の少なくとも１つを使用して少なくとも１つの送信を送出するオペレーション(902)と、を備えている。
【０１０３】
上述したプログラム記憶装置では、プログラム記憶装置は、コンピュータ読み取り可能な媒体と、コンピュータ読み取り可能なメモリと、メモリと、メモリカードと、取り外し可能なメモリと、記憶装置と、記憶コンポーネント及び／又は記憶回路とを備えている。上述したプログラム記憶装置は、本書のどこかで述べた本発明の規範的実施形態の１つ以上の態様と、特に、ここに述べる規範的方法に関係した本発明の規範的実施形態の１つ以上の態様とを更に備えている。
【０１０４】
（８）別の規範的実施形態において、装置は、アクセスノードから値を受信するように構成された受信器であって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような受信器と、前記第１部分及び第２部分の少なくとも１つを使用して少なくとも１つの送信を送出するように構成された送信器と、を備えている。
【０１０５】
上述した装置は、ここに述べる本発明の規範的実施形態の１つ以上の態様を更に含む。
【０１０６】
（９）別の規範的実施形態において、装置は、アクセスノードから値を受信するための手段であって、前記値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような手段と、前記第１部分及び第２部分の少なくとも１つを使用して少なくとも１つの送信を送出するための手段と、を備えている。
【０１０７】
上述した装置では、前記送信手段は、送信器を含み、前記受信手段は、受信器を含む。上述した装置は、ここに述べる本発明の規範的実施形態の１つ以上の態様を含む。
【０１０８】
（１０）別の規範的実施形態において、装置は、値をアクセスノードから受信するように構成された受信回路であって、その値は、アップリンクリソースブロックの第１部分のサイズを表すものであり、前記アップリンクリソースブロックは、複数の装置間に共有され、前記第１部分は、第１形式のシグナリングをアクセスノードへ送信するために指定され、更に、アップリンクリソースブロックの第２部分が、第２形式のシグナリングをアクセスノードへ送信するために指定されるような受信回路と、前記第１部分及び第２部分の少なくとも１つを使用して少なくとも１つの送信を送出するように構成された送信回路と、を備えている。
【０１０９】
上述した装置では、装置は、集積回路を備えている。上述した装置は、ここに述べる本発明の規範的実施形態の１つ以上の態様を更に含む。
【０１１０】
（１１）別の規範的な実施形態において、システムは、第１装置及び第２装置を備え、その第１装置は、値を第２装置に向けて送信するように構成された第１送信器であって、前記値は、アップリンクリソースブロックの第１部分のサイズを表し、前記アップリンクリソースブロックは、複数の他の装置間に共有され、前記第１部分は、第１形式のシグナリングを装置へ送信するために指定され、更に、アップリンクリソースブロックの第２部分が、第２形式のシグナリングを装置へ送信するために指定されるような第１送信器と、前記第１部分及び第２部分の少なくとも１つを使用して前記第２装置から少なくとも１つの送信を受信するように構成された第１受信器と、を備え、更に、前記第２装置は、前記第１装置から値を受信するように構成された第２受信器と、前記第１部分及び第２部分の少なくとも１つを使用して前記第１装置へ少なくとも１つの送信を送出するように構成された第２送信器と、を備えている。
【０１１１】
上述したシステムは、ここに述べる本発明の規範的実施形態の１つ以上の態様を更に含む。
【０１１２】
図６から９に示された種々のブロックは、方法のステップとみなされ、コンピュータプログラムコードのオペレーションから生じるオペレーションとみなされ、及び／又は関連機能を実行するように構成された１つ以上の結合されたコンポーネント（例えば、機能的ブロック、回路、集積回路、論理的回路素子）とみなされる。又、これらのブロックは、１つ以上のコンポーネント、装置、プロセッサ、コンピュータプログラム、回路、集積回路、特定用途向け集積回路（ＡＳＩＣ）、チップ及び／又は機能的ブロックによって遂行される１つ以上の機能及び／又はオペレーションに対応するとも考えられる。以上のいずれか及び／又は全部を、本発明の規範的実施形態によるオペレーションを可能にする実施構成又は解決策において具現化することができる。
【０１１３】
更に、図６から９に示されるブロックの構成は、単なる例示に過ぎず、これに限定されないと考えるべきである。これらブロックは、本発明の１つ以上の規範的実施形態を具現化するように任意の順序（例えば、実施可能な、適当な及び／又は実現可能な順序）で、及び／又は同時に（例えば、実施可能に、適当に及び／又は実現可能に）遂行される１つ以上の機能及び／又はオペレーションに対応することが明らかである。加えて、ここに更に述べるような本発明の１つ以上の更なる規範的実施形態を具現化するように図６から９に示されたものに関連して１つ以上の付加的なステップ、機能及び／又はオペレーションを使用することができる。
【０１１４】
即ち、図６から９に示す本発明の非限定の規範的実施形態は、１つ以上の更なる態様に関連して任意の組み合わせ（例えば、実施可能で、適当で及び／又は実現可能な組合せ）で具現化、実施又は使用することができ、図６から９に示すブロック、ステップ、機能及び／又はオペレーションのみに限定されない。
【０１１５】
一般的に、種々の規範的実施形態は、ハードウェア又は特殊目的の回路、ソフトウェア、ロジック又はその組合せで具現化することができる。例えば、ある態様は、ハードウェアで具現化することができ、一方、他の態様は、コントローラ、マイクロプロセッサ又は他のコンピューティング装置により実行されるファームウェア又はソフトウェアで具現化することができるが、本発明は、それに限定されない。本発明の規範的実施形態の種々の態様は、ブロック図、フローチャートとして、又は他の絵画的表現を使用して、例示及び説明できるが、ここに述べるこれらのブロック、装置、システム、技術、又は方法は、非限定例として、ハードウェア、ソフトウェア、ファームウェア、特殊目的回路又はロジック、汎用ハードウェア又はコントローラ或いは他のコンピューティング装置、又はその何らかの組合せで具現化できることが理解される。
【０１１６】
従って、本発明の規範的実施形態の少なくとも幾つかの態様は、集積回路チップ及びモジュールのような種々のコンポーネントで実施できると共に、本発明の規範的実施形態は、集積回路として実施される装置において実現できることが明らかであろう。集積回路（１つ又は複数）は、本発明の規範的実施形態に基づいて動作するように構成できるデータプロセッサ（１つ又は複数）、デジタル信号プロセッサ（１つ又は複数）、ベースバンド回路及び高周波回路の少なくとも１つ以上を実施するための回路（及び考えられるファームウェア）を含む。
【０１１７】
当業者であれば、添付図面を参照して以上の説明を読んだとき、上述した本発明の規範的実施形態に対する種々の変更や適応が明らかであろう。しかしながら、そのような変更は、全て、本発明の非限定の規範的実施形態の範囲内に包含される。
【０１１８】
用語「接続(connected)」「結合(coupled)」又はその変化は、２つ以上の要素間の直接的又は間接的な接続又は結合を意味し、そして一緒に「接続」又は「結合」された２つの要素間における１つ以上の中間要素の存在を含むことに注意されたい。要素間の結合又は接続は、物理的でも、論理的でも、又はその組み合せでもよい。ここに使用される２つの要素は、多数の非限定及び非徹底的な例として、１つ以上のワイヤ、ケーブル、及び／又は印刷された電気的接続の使用により、そして高周波領域、マイクロ波領域及び光学領域（可視及び非可視の両方）の波長を有する電磁エネルギーのような電磁エネルギーの使用により、一緒に「接続」又は「結合」されると考えられる。
【０１１９】
更に、上述したパラメータ（例えば、ＮAN、
2011511591.tif 000020
、ＮCQI、等）に使用される種々の名前は、何らかの観点で限定されることがないと意図される。というのは、これらのパラメータは、どんな適当な名前でも識別できるからである。更に、これらの種々のパラメータを使用する式及び表現は、ここに明確に開示されたものとは異なってもよい。
【０１２０】
一般的に、種々の規範的実施形態は、ハードウェア又は特殊目的回路、ソフトウェア、ロジック、又はその組み合わせで具現化できる。例えば、ある観点は、ハードウェアで具現化でき、一方、他の観点は、コントローラ、マイクロプロセッサ又は他のコンピューティング装置で実行されるファームウェア又はソフトウェアで具現化できるが、本発明は、それに限定されない。本発明の種々の態様は、ブロック図、フローチャートとして、又は他の絵画的表現を使用して、例示及び説明できるが、ここに述べるこれらのブロック、装置、システム、技術、又は方法は、非限定例として、ハードウェア、ソフトウェア、ファームウェア、特殊目的回路又はロジック、汎用ハードウェア又はコントローラ、他のコンピューティング装置、及び／又はその何らかの組合せで具現化できることが理解される。
【０１２１】
本発明の規範的実施形態は、集積回路モジュールのような種々のコンポーネントで実施することができる。集積回路の設計は、概して、高度に自動化されたプロセスにより行われる。論理レベル設計を、半導体基板上に形成されてエッチングされる準備のできた半導体回路設計へと変換するために、複雑且つパワフルなソフトウェアツールを利用することができる。
【０１２２】
カリフォルニア州マウンテンビューのシノプシス社、及びカリフォルニア州サンノセのカデンスデザイン社により提供されているもののようなプログラムは、充分に確立された設計ルール及び事前に記憶された設計モジュールのライブラリーを使用して半導体チップ上に導体を自動的にルーティングし且つコンポーネントを配置する。半導体回路の設計が完了すると、それにより得られる標準電子フォーマット（例えば、Ｏｐｕｓ、ＧＤＳＩＩ等）での設計が、製造のために、半導体製造ファシリティ又は“ｆａｂ”へ送信される。
【０１２３】
以上の説明は、本発明を完全且つ有益に説明するための非限定例に過ぎない。しかしながら、当業者であれば、添付図面及び特許請求の範囲を参照して以上の説明を読んだときに、種々の変更や適応が明らかであろう。しかしながら、本発明の技術のそのような全ての同様な変更は、本発明の非限定の規範的実施形態の範囲内に包含される。
【０１２４】
更に、本発明の種々の非限定の規範的実施形態の幾つかの特徴は、他の特徴を対応的に使用せずに、効果的に使用することができる。従って、以上の説明は、本発明の原理、技術及び規範的実施形態の例示に過ぎず、それに限定されるものではない。
【符号の説明】
【０１２５】
１：ワイヤレスネットワーク
１０：ユーザ装置
１０Ａ：データプロセッサ
１０Ｂ：メモリ
１０Ｃ：コンピュータインストラクションのプログラム
１０Ｄ：高周波（ＲＦ）トランシーバ
１１：ワイヤレスリンク
１２：ｅＮＢ
１４：ネットワークコントロール要素
２０：グラフィックディスプレイインターフェイス
２２：ユーザインターフェイス
２４：マイクロホン
２６：電力アクチュエータ
２８：カメラ
３０：シャッターアクチュエータ
３４：スピーカ
３６：アンテナ
３７：ＷＬＡＮ
３８：電力チップ
３９：ＢＴ
４０：高周波（ＲＦ）チップ
４２：基本帯域チップ
４３：ＲＡＭ
４４：映像／ビデオプロセッサ
４５：ＲＯＭ
４６：音声プロセッサ
４７：メモリカード
４８：フレームメモリ
５０：ユーザインターフェイス／ディスプレイチップ
【図１】
2011511591.tif 000023
【図２Ａ】
2011511591.tif 000024
【図２Ｂ】
2011511591.tif 000025
【図３】
2011511591.tif 000026
【図４】
2011511591.tif 000027
【図５】
2011511591.tif 000028
【図６】
2011511591.tif 000029
【図７】
2011511591.tif 000030
【図８】
2011511591.tif 000031
【図９】
2011511591.tif 000032
【国際調査報告】
2011511591.tif 000033
2011511591.tif 000034